(57)【要約】【課題】  簡単な構造で、グローブを作業室の壁面などに接触しないように支持することができるグローブ滅菌用支持部材を提供する。【解決手段】  アイソレータのグローブを作業室内に伸ばした状態で支持するグローブ滅菌用支持部材であって、グローブの腕部から手先に向かって伸び、中間の曲げ部で折り曲げた支柱部と、前記曲げ部の両側の支柱部を繋ぐ補強部と、前記曲げ部の近傍に位置し、グローブの腕部を拡げるリング状の腕部拡大部と、前記支柱部の先端側に位置し、グローブの掌部を拡げるリング状の掌部拡大部と、前記支柱部の最先端に取り付けた、グローブの指部に挿入されるチューブと、前記支柱部の後端側に設けられ、グローブ滅菌用支持部材をアイソレータのグローブポートに取り付ける取付部と、を備えるものである。【選択図】  図６
2018175172.tif 000002
【特許請求の範囲】
【請求項１】
アイソレータのグローブを作業室内に伸ばした状態で支持するグローブ滅菌用支持部材であって、
グローブの腕部から手先に向かって伸び、中間の曲げ部で折り曲げた支柱部と、
前記曲げ部の両側の支柱部を繋ぐ補強部と、
前記曲げ部の近傍に位置し、グローブの腕部を拡げるリング状の腕部拡大部と、
前記支柱部の先端側に位置し、グローブの掌部を拡げるリング状の掌部拡大部と、
前記支柱部の最先端に取り付けた、グローブの指部に挿入されるチューブと、
前記支柱部の後端側に設けられ、グローブ滅菌用支持部材をアイソレータのグローブポートに取り付ける取付部と、
を備えるグローブ滅菌用支持部材。
【請求項２】
請求項１に記載のグローブ滅菌用支持部材において、
前記支柱部は、前記グローブの腕部側から前記曲げ部に接続される後方支柱部と、前記手先側から前記曲げ部に接続される前方支柱部とを有することを特徴とするグローブ滅菌支持部材。
【請求項３】
請求項１に記載のグローブ滅菌用支持部材において、
前記チューブは、グローブの人差し指に挿入されるビニールチューブであることを特徴とするグローブ滅菌用支持部材。
【請求項４】
請求項１に記載のグローブ滅菌用支持部材において、
前記取付部は、円周の一部を欠いた略リング状の部材であることを特徴とするグローブ滅菌用支持部材。
【請求項５】
請求項４に記載のグローブ滅菌用支持部材において、
前記取付部に、グローブへの挿入位置を規定する複数のストッパ部を備えることを特徴とするグローブ滅菌用支持部材。
【請求項６】
請求項１に記載のグローブ滅菌用支持部材において、
前記支柱部、前記補強部、前記腕部拡大部、前記掌部拡大部および前記取付部は金属製の線材で構成されていることを特徴とするグローブ滅菌用支持部材。
【請求項７】
請求項１に記載のグローブ滅菌用支持部材において、
前記支柱部の一部に、前記支柱部の先端側を移動させる駆動部を備えることを特徴とするグローブ滅菌用支持部材。
【請求項８】
作業室と、前記作業室の前面扉に設けたグローブと、滅菌時に前記グローブに挿入され、前記グローブを作業室内に伸ばした状態で支持するグローブ滅菌用支持部材とを備えるアイソレータであって、
前記グローブ滅菌用支持部材は、
グローブの腕部から手先に向かって伸び、中間の曲げ部で折り曲げた支柱部と、
前記曲げ部の両側の支柱部を繋ぐ補強部と、
前記曲げ部の近傍に位置し、グローブの腕部を拡げるリング状の腕部拡大部と、
前記支柱部の先端側に位置し、グローブの掌部を拡げるリング状の掌部拡大部と、
前記支柱部の最先端に取り付けた、グローブの指部に挿入されるチューブと、
前記支柱部の後端側に設けられ、グローブ滅菌用支持部材をアイソレータのグローブポートに取り付ける取付部と、を備えることを特徴とするアイソレータ。
【請求項９】
請求項８に記載のアイソレータにおいて、
前記支柱部は、前記グローブの腕部側から前記曲げ部に接続される後方支柱部と、前記手先側から前記曲げ部に接続される前方支柱部とを有することを特徴とするアイソレータ。
【請求項１０】
請求項８に記載のアイソレータにおいて、
前記グローブ滅菌用支持部材のチューブは、グローブの人差し指に挿入されるビニールチューブであることを特徴とするアイソレータ。
【請求項１１】
請求項８に記載のアイソレータにおいて、
前記作業室と連結するパスボックスを備え、
パスボックス側の前記グローブ滅菌用支持部材は、滅菌時に、先端が前記パスボックス内に位置するように取り付けられることを特徴とするアイソレータ。
【請求項１２】
請求項１１に記載のアイソレータにおいて、
パスボックス内に位置するグローブ先端の延長線上の前記パスボックスの背面にガスを吸引するスリットが設けられていることを特徴とするアイソレータ。
【請求項１３】
請求項８に記載のアイソレータにおいて、
前記作業室とパスボックスとを連結する連結部を備え、
パスボックス側の前記グローブ滅菌用支持部材は、滅菌時に、先端が前記連結部側に位置するように取り付けられ、
グローブ先端の延長線上の前記連結部の背面および／または前記連結部の底面にガスを吸引するスリットが設けられていることを特徴とするアイソレータ。
【請求項１４】
請求項８に記載のアイソレータにおいて、
前記グローブ滅菌用支持部材の前記支柱部の一部に、前記支柱部の先端側を移動させる駆動部を備え、グローブの位置を移動可能にしたことを特徴とするアイソレータ。
【請求項１５】
請求項８に記載のアイソレータにおいて、
前記グローブ滅菌用支持部材の前記支柱部の一部に、前記支柱部の先端側を周期的に駆動させる駆動部を備え、グローブを上下或いは左右に駆動可能にしたことを特徴とするアイソレータ。
【請求項１６】
請求項８に記載のアイソレータにおいて、
更に、パスボックスと滅菌ガス発生装置を備え、
滅菌時には、前記滅菌ガス発生装置から前記作業室に供給した滅菌ガスが、前記パスボックスを通って前記滅菌ガス発生装置に戻るように構成したことを特徴とするアイソレータ。
【発明の詳細な説明】
【技術分野】
【０００１】
本発明は、アイソレータの作業室やグローブの表面を滅菌する際に使用するグローブ滅菌用支持部材およびそれを用いるアイソレータに関する。
【背景技術】
【０００２】
病源体等の研究や、再生医療等で病源体等に感染している可能性がある組織を取り扱う場合、アイソレータを使用する。アイソレータでは、作業者が作業室の外部から作業用のグローブを介して作業を行うことができる。例えば、再生医療等で、取り扱う患者組織が感染症に感染している場合があり、その感染症の病原体等が次に取り扱う患者組織に感染しないように、取り扱う患者組織を変更する前に作業室内を清掃、消毒して無菌の状態にする必要がある。
【０００３】
また、研究ではアイソレータの作業室で病源体等を取り扱う。病源体等とは、ウイルス、細菌、真菌などを示すが、それぞれ固有の性質が有り、病源体等が、他の病原体等に影響を及ぼす場合が有る。同一のアイソレータ内で取り扱う病原体等の種類を変更する場合、作業室内や作業に用いるグローブを清掃、消毒して滅菌する必要がある。滅菌は、作業室やグローブに滅菌ガスを供給することにより、行われる。
【０００４】
作業用グローブを支持しない場合には、作業用グローブが垂れ下がって作業室内の作業用機器の表面や作業室の壁面に接触したり、グローブの表面や各指部が重なって接触し、接触した部分の滅菌が不十分となることがある。
【０００５】
作業用グローブの表面全域を除染（滅菌）する補助具に関する文献として、特許文献１がある。特許文献１には「グローブ除染用支持具は、作業用グローブの腕部内部に前記作業室の外部から当該腕部の上腕部より手首部に向けて挿入される腕部支持部材と、グローブポートの開口部に固定されて腕部支持部材の位置を安定的に保持する固定部材と、作業用グローブの掌部と各指部とを互いに接触することなく拡げて支持する指掌部支持部材とを備えている。（要約参照）」と記載されている。
【先行技術文献】
【特許文献】
【０００６】
【特許文献１】特開２０１６−７７６５８号公報
【発明の概要】
【発明が解決しようとする課題】
【０００７】
特許文献１のグローブ除染用支持具は、その段落００６１，００６２に記載されているように、作業用グローブの腕部内部に作業室の外部から当該腕部の上腕部より手首部に向けて挿入することにより、腕部支持部材に設けた腕部拡張部材が、作業用グローブの腕部が垂れ下がることなく水平状態で安定的に支持し、さらに、先端に設けた隔壁盤が摺動することで掌部および各指部の間に閉じ込められた圧縮された空気によって、掌部および各指部の表面が互いに接触することなく拡がった状態を維持している。
【０００８】
しかし、グローブの掌部および各指部の間に閉じ込められた空気を圧縮できない、または、圧縮量が足りない場合には、掌部および各指部の表面が互いに接触すること、また、圧縮量が大きすぎる場合には、可撓性を有するグローブが広がり、他の作業機器や作業室の壁面に接触することが考慮されていない。
【０００９】
本発明は、簡単な構造で、グローブを作業室の壁面などに接触しないように支持することができるグローブ滅菌用支持部材およびそれを用いたアイソレータを提供することを目的とする。
【課題を解決するための手段】
【００１０】
上記課題を解決するための、本発明の「グローブ滅菌用支持部材」の一例を挙げれば、アイソレータのグローブを作業室内に伸ばした状態で支持するグローブ滅菌用支持部材であって、グローブの腕部から手先に向かって伸び、中間の曲げ部で折り曲げた支柱部と、前記曲げ部の両側の支柱部を繋ぐ補強部と、前記曲げ部の近傍に位置し、グローブの腕部を拡げるリング状の腕部拡大部と、前記支柱部の先端側に位置し、グローブの掌部を拡げるリング状の掌部拡大部と、前記支柱部の最先端に取り付けた、グローブの指部に挿入されるチューブと、前記支柱部の後端側に設けられ、グローブ滅菌用支持部材をアイソレータのグローブポートに取り付ける取付部と、を備えるものである。
【００１１】
また、本発明の「アイソレータ」の一例を挙げれば、作業室と、前記作業室の前面扉に設けたグローブと、滅菌時に前記グローブに挿入され、前記グローブを作業室内に伸ばした状態で支持するグローブ滅菌用支持部材とを備えるアイソレータであって、前記グローブ滅菌用支持部材は、グローブの腕部から手先に向かって伸び、中間の曲げ部で折り曲げた支柱部と、前記曲げ部の両側の支柱部を繋ぐ補強部と、前記曲げ部の近傍に位置し、グローブの腕部を拡げるリング状の腕部拡大部と、前記支柱部の先端側に位置し、グローブの掌部を拡げるリング状の掌部拡大部と、前記支柱部の最先端に取り付けた、グローブの指部に挿入されるチューブと、前記支柱部の後端側に設けられ、グローブ滅菌用支持部材をアイソレータのグローブポートに取り付ける取付部と、を備えるものである。
【発明の効果】
【００１２】
本発明によれば、グローブを作業室の壁面などに接触しないように支持することができるグローブ滅菌用支持部材およびそれを用いたアイソレータを提供することができる。
【図面の簡単な説明】
【００１３】
【図１】アイソレータ装置の一例を示す正面図である。
【図２】図１のアイソレータ装置の右側側面図である。
【図３】図１のアイソレータ装置の、作業時の気流の流れを示す図である。
【図４】図１のアイソレータ装置の、滅菌時の気流の流れを示す図である。
【図５】本発明の実施例１のグローブ滅菌用支持部材を示す斜視図である。
【図６】本発明の実施例１のグローブ滅菌用支持部材を示す正面図および側面図である。
【図７】グローブを、実施例１のグローブ滅菌用支持部材で支持した状態を示す図である。
【図８】本発明の実施例２のアイソレータ装置を示す概略図である。
【図９】本発明の実施例３のグローブ滅菌用支持部材を示す正面図および側面図である。
【発明を実施するための形態】
【００１４】
実施例の説明に先立って、本発明が適用されるアイソレータ装置を説明する。図１および図２は、それぞれアイソレータ装置の一例を示す正面図および側面図である。また、図３および図４に、その内部断面図を示す。
【００１５】
アイソレータ本室１０について、ケース（筐体）内には、病原体等の試料を取り扱い作業を行う作業室１２が設けられている。ケースの上部には給気用気密ダンパ１４が設けられ、アイソレータの外部から空気を取り入れる。
【００１６】
作業室１２の上部には、ファン１６が設けられ、その下流側にＨＥＰＡフィルタ１８およびパンチング板２０が設けられて、清浄な整流された空気が作業室１２に供給される。作業室１２の下部にはスリットが設けられ、スリットから排出された空気は、ファン１６の上流側に戻り、空気が循環する。空気の一部は、ケースの上面に設けられた排気用気密ダンパ２２から、外部へ排出される。
【００１７】
作業室１２の前面側には、ガラスや樹脂製の前面扉２３が取り付けられ、前面扉２３には、開口が開けられ、作業用グローブを取り付けるための複数（図では、左側、中央、右側）のグローブポート２４が設けられている。そして、グローブポート２４には、作業室内に、作業者が試料を取り扱うグローブ２５が取り付けられる（図２）。
【００１８】
作業室１２の側面には、連結部４８を介して、パスボックス４０が取り付けられている。パスボックス４０には、上部に循環ファン４２およびＨＥＰＡフィルタ４４が、下部にパンチング板４４が設けられて、パスボックスの動作時に空気が循環するように構成されている。作業室１２のパスボックス側には、パスボックス側開閉扉２６が設けられ、パスボックス４０を通って試料等の搬入・搬出が行われるようになっている。
【００１９】
アイソレータ装置は、滅菌時に使用する滅菌ガス発生装置５０を備えており、コンディション（行き）経路５４から過酸化水素ガスなどの滅菌ガスをアイソレータ本室１０に供給する。
【００２０】
滅菌ガスは、コンディション（戻り）経路５２を通ってパスボックス４０から滅菌ガス発生装置５０に戻る。アイソレータ本室１０には、滅菌工程終了後に滅菌ガスを除去するためのエアレーション経路５６が設けられている（図２）。
【００２１】
図３を用いて、作業室内で試料を処理する通常作業時の空気の流れを説明する。給気用気密ダンパ１４によりアイソレータの外部から空気を取り入れる。ファン１６により加圧チャンバに空気を送り、下流側のＨＥＰＡフィルタ１８およびパンチング板２０により、清浄な整列した空気を作業室１２内へ送る。
【００２２】
作業室内の空気は、作業室の下部に設けたスリットから排出され、ファン１６の上流側へ戻って、循環する。空気の一部は、排気用気密ダンパ２２から外部へ排出される。このように、清浄な整列した空気を作業室１２へ供給することにより、作業中の試料の汚染などを防止することができる。
【００２３】
取り扱う患者組織を変更する場合、取り扱う病原体等の種類を変更する場合などには、作業室内や作業に用いるグローブを滅菌する必要がある。図４を用いて、滅菌時の滅菌ガスの流れを説明する。滅菌時には給気用気密ダンパ１４および排気用気密ダンパ２２を閉じて、アイソレータの外部との空気の流れを遮断する。
【００２４】
滅菌ガス発生装置５０で発生した、例えば過酸化水素ガスをアイソレータ本室の流路に供給する。滅菌ガスはファン１６により加圧チャンバ内へ送られ、ＨＥＰＡフィルタ１８およびパンチング板２０を通って、作業室１２内へ送られる。滅菌時にはパスボックス側の開閉扉２６が開かれており、作業室内の滅菌ガスは、パスボックス４０へ送られる。
【００２５】
滅菌ガスは、パスボックス４０を通って滅菌ガス発生装置５０へ戻る。このように、滅菌ガスを作業室を含むアイソレータへ循環させることにより、作業室を含むアイソレータや作業用のグローブの滅菌を行うことができる。
【００２６】
滅菌工程は、以下のように行われる。
（１）除湿工程
乾燥空気により湿度を下げる。湿度を下げることにより、引き続くコンディション工程およびデコンタミネーション工程中、滅菌ガス（例えば、過酸化水素水ガス）の必要濃度を飽和レベル以下に保つ。リターン空気は乾燥カートリッジを通って乾燥加熱される。
（２）コンディション工程
滅菌剤が気流内に注入されている間、滅菌ガスが機器から離れる直前まで乾燥空気が循環し続ける。コンディション工程は、目標滅菌濃度に速く達するための工程である。
（３）デコンタミネーション工程
特定時間、滅菌剤でアイソレータ内全体の滅菌ガス濃度を維持し、作業室や作業用のグローブの滅菌を行う。
（４）エアレーション工程
滅菌剤の注入を停止し、アイソレータと接続ホース内の滅菌ガス濃度を低くするために一定時間、乾燥空気を循環させる。
【００２７】
作業用のグローブは薄いゴム製であり、グローブから作業者が腕を抜き出すと、作業用グローブが垂れ下がって作業室内の作業用機器の表面や作業室の壁面に接触したり、グローブの表面や各指部が重なって接触し、接触した部分の滅菌が不十分となることがある。
【００２８】
以下、この課題を解決するための本発明の実施例を、図面を用いて説明する。なお、実施例を説明するための各図において、同一の構成要素にはなるべく同一の名称、符号を付して、その繰り返しの説明を省略する。
【実施例１】
【００２９】
図５は、実施例１のグローブ滅菌用支持部材を示す斜視図である。また、図６（ａ）に、実施例１のグローブ滅菌用支持部材の正面図を、図６（ｂ）に、グローブ滅菌用支持部材の側面図を示す。
【００３０】
実施例１のグローブ滅菌用支持部材１００は、グローブに挿入した際に、グローブの腕部から手先部に伸びる支柱部１１０を備えており、支柱部１１０は、途中の曲げ部１１５で曲げられて、腕側の後方支柱部１１０ａと手先側の前方支柱部１１０ｂとから構成されている。後方支柱部１１０ａと前方支柱部１１０ｂには両者を繋ぐ棒状の補強部１２０が取り付けられている。
【００３１】
支柱部の曲げ部１１５近傍には、グローブに挿入された際にグローブの腕部を拡げるリング状のグローブ腕部拡大部１３０が取り付けられている。グローブ腕部拡大部１３０の取り付けは、リングの一部で支柱部１１０に溶接、ろう付け等で固定すればよい。なお、グローブ腕部拡大部１３０は、補強部１２０に取り付けてもよい。
【００３２】
前方支柱部１１０ａの先端には、グローブに挿入された際にグローブの人差し指の根元を広げる、リング状の掌部拡大部１４０が取り付けられている。グローブ掌部拡大部１４０の取り付けは、リングの一部で支柱部１１０に溶接、ろう付け等で固定すればよい。
【００３３】
前方支柱部１１０ｂの最先端は、ビニールチューブ１５０を嵌め込んで接続できるようになっている。ビニールチューブ１５０は、グローブの人差し指に挿入されるもので、人差し指の先端に届くような長さとすればよい。
【００３４】
ビニールチューブ１５０の先端がグローブの手指に接触する長さであることが望ましい。これによって、グローブの手指の皺をなくす、または減らすことが可能となる。
【００３５】
この掌部拡大部１４０を有することで、グローブの掌部へグローブ滅菌用支持部材１００の挿入が容易となる。また、掌部拡大部１４０の先にビニールチューブ１５０を設けることで、グローブの手指部分への挿入が容易となる。
【００３６】
さらに、ビニールチューブ１５０はどのような部材でも構わないが、グローブよりも柔らかい部材を用いることで、グローブの手指部分にビニールチューブが接触しても傷が入りにくくなる。傷が入りにくいため、ビニールチューブ１５０をユーザが挿入する際の工数を低減することができる。
【００３７】
ビニールチューブ１５０の長さはグローブの手指の長さよりも長い場合に、ビニールチューブ１５０の部材がグローブよりも柔らかいと、グローブの手指内で折り曲げられるため、ビニールチューブ１５０の長さを厳密に調整する必要がなく、ユーザの滅菌作業の際の利便性を向上させることができる。
【００３８】
後方支柱部１１０ａの後端側には、グローブポートにグローブ滅菌用支持部材を取り付けるための、円周の一部を欠いた略リング状の取付部１６０が設けられている。そして、取付部１６０には、円周方向の複数箇所に複数のストッパ部１７０が設けられている。
【００３９】
本実施例のグローブ滅菌用支持部材は、金属製、例えばステンレス製の線材を折り曲げて、必要な箇所を溶接、ろう付けなどで固定することにより製作できる。
【００４０】
作業用のグローブは、薄いゴム製、例えば厚さ０．４ｍｍのクロロプレンゴム製であり、作業者がグローブから腕を抜くと、作業室内に垂れて作業機器や作業室の表面などと接触したり、また、グローブに皺がよってグローブの表面同士が接触する。グローブの厚みは作業性を考慮し、１．０ｍｍ以下程度であることが望ましい。ただし、１．０ｍｍ以上であっても実施可能である。
【００４１】
この状態で滅菌ガスを供給しても、作業室の面やグローブの全面に滅菌ガスが行き渡らず、十分な滅菌が行われない場合がある。また、グローブの表面同士が接触する部分またはアイソレータ室内とグローブが接触する部分には、滅菌ガスが接触する量が他の場所に比べて少なくなるため、滅菌時間が長く必要となる。
【００４２】
そのため、滅菌時には、作業用グローブに本実施例のグローブ滅菌用支持部材を挿入して、作業用グローブを作業室内で支持することで接触する部分を減らし効率よく滅菌作業をすることが可能となる。
【００４３】
円周の一部を切り欠いたリング状の取付部１６０を縮めて、前面扉に設けたグローブポートに挿入し、ばね力により取付部１６０を広げてグローブ滅菌用支持部材をグローブポートに取付固定する。取付部１６０には複数のストッパ部１７０を備えているので、グローブ滅菌用支持部材の挿入位置が規定され、挿入し過ぎによりグローブが破損することはない。
【００４４】
グローブ滅菌用支持部材の支柱部１１０には途中に曲げ部１１５が設けられ、前方側支柱部１１０ｂと後方側支柱部１１０ａとを繋ぐ補強部１２０が取り付けられている。そして、曲げ部１１５の近傍に、リング状のグローブ腕部拡大部１３０が設けられている。
【００４５】
すなわち、グローブ腕部拡大部１３０は、後方支柱部１１０ａのうち中央部よりも曲げ部１１５側に設けられている。なお、グローブ腕部拡大部１３０は、前方支柱部１１０ｂのうち中央部よりも曲げ部１１５側に設けることも可能であるが、後方支柱部１１０ａ側に設けると、取付部１６０と略並行であるため、グローブを支えやすくなる。また、グローブへの挿入が容易となる。
【００４６】
補強部１２０とリング状のグローブ腕部拡大部１３０とによりグローブの腕部を支持するので、曲げ部付近のグローブの皺の発生を抑えて支持することができる。また、グローブの重量は支柱部１１０により支持されるが、補強部１２０により支持強度を上げることができる。
【００４７】
さらに、グローブの長さに比べて作業室の奥行きが短い場合には、グローブを水平に支持すると、グローブの先端が作業室の背面に接触する恐れがある。本実施例のグローブ滅菌用支持部材では、支柱部１１０を曲げ部１１５で折り曲げているので、グローブの先端を作業室の背面に接触させることなく、作業室内に支持することができる。
【００４８】
前方支柱部１１０ａの先端には、グローブに挿入された際にグローブの人差し指の根元を広げる、リング状のグローブ掌部拡大部１４０が取り付けられている。また、前方支柱部１１０ｂの最先端は、ビニールチューブ１５０を嵌め込んで接続できるようになっており、グローブの人差し指に挿入するビニールチューブ１５０を取り付けることができる。
【００４９】
グローブの指の長さに応じて、ビニールチューブ１５０の長さを調節することにより、皺の少ない状態を維持することができる。また、ビニールチューブ１５０を人差し指部に挿入し、人差し指の根元をリング状の掌部拡大部１４０で広げることにより、全体的にグローブ先端部が広がり皺の発生や表面の重なりが抑制される。
【００５０】
グローブの指は、親指と人差し指の角度は大きいが、人差し指、中指、薬指、小指の角度は小さくなっている。人差し指をビニールチューブ１５０で支持することなどにより、グローブの各指が接触することを防ぐことができる。
【００５１】
リング状のグローブ腕部拡大部１３０、リング状のグローブ掌部拡大部１４０および略リング状の取付部１６０は、それぞれリング状の周の一部で支柱部に溶接、ろう付け等で取り付けられているので、構造が簡単である。
【００５２】
そして、グローブ滅菌用支持部材をグローブ内に挿入した際に、支柱部１１０および補強部１２０が全長に渡ってグローブに接触してグローブを支持するので、グローブの垂れ下がりによる皺の発生を抑制することができる。皺が生じた場合であっても、支柱部１１０および補強部１２０にグローブが載置される形状であるため、皺同士が重なり合うことが抑制され、効率が良い滅菌作業を実現することができる。
【００５３】
図７に、本実施例のグローブ滅菌用支持部材を作業用グローブ内に挿入した状態の図を示す。図に見られるように、グローブの腕部でグローブの表面同士が接触することはなく、また、先端の各指部同士が接触することもない。
【００５４】
本実施例のグローブ滅菌用支持部材によれば、簡単な構造で、作業用グローブを拡げた状態で作業室内に支持することができ、作業用グローブやアイソレータの作業室内を効果的に滅菌することができる。
【実施例２】
【００５５】
図４に示したように、滅菌時には作業室１２のパスボックス側開閉扉２６を開いて、滅菌ガスが連結部４８を通ってパスボックス４０に流れるように構成している。図１に示すパスボックス側（右側）のグローブ取付用の開口は、パスボックス側開閉扉２６の近くに設けられているので、図４のように、パスボックス側開閉扉２６が開かれると、グローブの先端がパスボックス側開閉扉２６に接触する恐れがある。
【００５６】
本実施例は、この課題を解決するもので、図８にパスボックス側開閉扉２６付近の平面図を示す。グローブ滅菌用支持部材１００は、通常、前方側支持部１１０ｂが上方に立ち上がるように取り付けられるが、本実施例において、パスボックス側のグローブ滅菌用支持部材１００は、９０°右に回転させて、前方側支持部１１０ｂがパスボックスとの連結部４８やパスボックス４０に入るように取り付けられる。
【００５７】
そのため、グローブの先端はパスボックス４０の背面或いはパスボックスとの連結部４８の背面を向くこととなる。本実施例では、グローブ先端の延長線上のパスボックスの背面や連結部の背面に滅菌ガスを吸引するスリットを設ける。
【００５８】
図８において、符号４７はパスボックスの背面に設けたスリットを表し、符号４９ａは連結部４８の背面に設けたスリットを表す。滅菌ガスを吸引するスリットは、符号４９ｂで示すように、連結部４８の底面に設けても良い。
【００５９】
グローブ先端の延長線上やグローブ先端の底面に滅菌ガス吸引用のスリットを設けることにより、気流によりグローブ先端を伸ばして効果的に滅菌することができ、また、グローブに付着した汚染物質の再飛散を抑制することができる。
【００６０】
本実施例によれば、パスボックス側に配置した作業用グローブも良好に滅菌することができる。
【実施例３】
【００６１】
実施例３は、本発明のグローブ滅菌用支持部材に支柱部の先端側を移動させる駆動部を設けたものである。
【００６２】
図９（ａ）に本実施例のグローブ滅菌用支持部材の正面図を、図９（ｂ）に本実施例のグローブ滅菌用支持部材の側面図を示す。図に示すように支柱部１１０の一部に駆動部１８０を設け、操作部１９０によって操作できるように構成する。
【００６３】
滅菌時に駆動装置によって前方側支柱部を周期的に上下或いは左右に移動することにより、グローブ滅菌用支持部材を挿入した作業用グローブを上下或いは左右に動かすことができる。これにより、作業室内の滅菌ガスを攪拌し、気流のよどみを抑制することができる。
【００６４】
また、滅菌時に駆動装置によって前方側支柱部を移動させグローブの位置を移動する。これにより、動かしたグローブに沿って気流が流れるため、滅菌ガスの気流をコントロールでき、滅菌時間を短縮することができる。例えば、作業室の角部は気流がよどむ場合があるが、本実施例のグローブ滅菌用支持部材を用いて気流の流れを変えることにより、効果的に滅菌することができる。
【符号の説明】
【００６５】
１０  アイソレータ本室
１２  作業室
１４  給気用気密ダンパ
１６  ファン
１８  ＨＥＰＡフィルタ
２０  パンチング板
２２  排気用気密ダンパ
２３  前面扉
２４  グローブポート
２５  グローブ
２６  パスボックス側開閉扉
４０  パスボックス
４２  循環ファン
４４  ＨＥＰＡフィルタ
４６  パンチング板
４７  パスボックス背面スリット
４８  連結部
４９ａ  連結部背面スリット
４９ｂ  連結部底面スリット
５０  滅菌ガス発生装置
５２  コンディション（戻り）経路
５４  コンディション（行き）経路
５６  エアレーション経路
１００  グローブ滅菌用支持部材
１１０  支柱部
１１５  曲げ部
１２０  補強部
１３０  グローブ腕部拡大部
１４０  グローブ掌部拡大部
１５０  ビニールチューブ
１６０  取付部
１７０  ストッパ部
１８０  駆動部
１９０  操作部
【図１】
2018175172.tif 000003
【図２】
2018175172.tif 000004
【図３】
2018175172.tif 000005
【図４】
2018175172.tif 000006
【図５】
2018175172.tif 000007
【図６】
2018175172.tif 000008
【図７】
2018175172.tif 000009
【図８】
2018175172.tif 000010
【図９】
2018175172.tif 000011